【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
参照ピクチャリストを構成するための方法であって、前記方法は、
ビデオコーダの１つまたは複数のプロセッサによって、（ｉ）インターモードまたはイントラブロックコピーモードのうちの少なくとも１つでの予測のために利用可能な参照ピクチャの総数を表す第１の数と、（ｉｉ）予測されるべき現在ピクチャのための参照ピクチャリスト中に含まれるべき参照ピクチャの総数を表す第２の数とを決定することと、
前記１つまたは複数のプロセッサによって、および前記第２の数が前記第１の数以上であるかどうかに基づいて、前記参照ピクチャリスト中の参照ピクチャを前記現在ピクチャと置き換えるべきか否かを決定することと、
置き換えるべきか否かの前記決定に基づいて、前記参照ピクチャリスト中の前記参照ピクチャを前記現在ピクチャと置き換えるか、控えるかを選択的に行うことと、
前記参照ピクチャリストに基づいて、前記現在ピクチャのサンプルを予測することと、
を備える、方法。
【請求項２】
置き換えるか、控えるかを選択的に行うことは、
前記参照ピクチャリスト中の参照ピクチャを前記現在ピクチャと置き換えること、ここで、前記第２の数が前記第１の数以上でない、を備える、請求項１に記載の方法。
【請求項３】
（ｉ）インターモードで前記現在ピクチャ中のブロックを予測する際に使用するために利用可能な参照ピクチャの総数と、（ｉｉ）前記現在ピクチャが、前記現在ピクチャ中のブロックを予測するために使用されることを可能にされるかどうかに基づく値との和として前記第１の数を決定することをさらに備える、請求項１に記載の方法。
【請求項４】
（ｉ）前記現在ピクチャを予測するために利用可能であり、出力順序において前記現在ピクチャに先行する短期参照ピクチャの総数と、（ｉｉ）前記現在ピクチャを予測するために利用可能であり、出力順序において前記現在ピクチャに後続する短期参照ピクチャの総数と、（ｉｉｉ）前記現在ピクチャを予測するために利用可能な長期参照ピクチャの総数と、（ｉｖ）前記現在ピクチャが、前記現在ピクチャ中のブロックを予測するために使用されることを可能にされるかどうかに基づく値との和として前記第１の数を決定することをさらに備える、請求項１に記載の方法。
【請求項５】
前記参照ピクチャリストが、前記参照ピクチャリストの最後の位置以外の位置における前記現在ピクチャを含むと決定することに応答して、前記参照ピクチャリストの前記最後の位置における参照ピクチャを前記現在ピクチャと置き換えることを控えることをさらに備える、請求項１に記載の方法。
【請求項６】
前記参照ピクチャリストが、前記現在ピクチャを含む参照ピクチャシーケンスの少なくとも一部分が前記参照ピクチャリスト内で２回以上繰り返されるような、前記参照ピクチャシーケンスを含むと決定することに応答して、前記参照ピクチャリスト中の参照ピクチャを前記現在ピクチャと置き換えることを控えることをさらに備える、請求項１に記載の方法。
【請求項７】
前記第１の数が、高効率ビデオコーディング（ＨＥＶＣ）規格における変数ＮｕｍＰｉｃＴｏｔａｌＣｕｒｒの値によって示される、請求項１に記載の方法。
【請求項８】
前記第２の数が、高効率ビデオコーディング（ＨＥＶＣ）規格における変数ｎｕｍ＿ｒｅｆ＿ｉｄｘ＿ｌ０＿ａｃｔｉｖｅ＿ｍｉｎｕｓ１の値と１との和によって示される、請求項１に記載の方法。
【請求項９】
前記第１の数が、高効率ビデオコーディング（ＨＥＶＣ）規格における変数ＮｕｍＲｐｓＣｕｒｒＴｅｍｐＬｉｓｔ０の値によって示される、請求項１に記載の方法。
【請求項１０】
前記参照ピクチャリストを使用して前記現在ピクチャ中の現在ブロックのための予測ブロックを決定することをさらに備える、請求項１に記載の方法。
【請求項１１】
前記予測ブロックに基づいて前記現在ブロックを符号化することをさらに備える、請求項１０に記載の方法。
【請求項１２】
前記予測ブロックに基づいて前記現在ブロックを復号することをさらに備える、請求項１０に記載の方法。
【請求項１３】
参照ピクチャリストを構成するように構成された装置であって、前記装置が、
１つまたは複数の参照ピクチャを記憶するように構成されたメモリと、
前記メモリと通信している１つまたは複数のプロセッサとを備え、前記１つまたは複数のプロセッサは、
（ｉ）インターモードまたはイントラブロックコピーモードのうちの少なくとも１つでの予測のために利用可能な参照ピクチャの総数を表す第１の数と、（ｉｉ）予測されるべき現在ピクチャのための参照ピクチャリスト中に含まれるべき参照ピクチャの総数を表す第２の数とを決定することと、
前記第２の数が前記第１の数以上であるかどうかに基づいて、前記参照ピクチャリスト中の参照ピクチャを前記現在ピクチャと置き換えるべきか否かを決定することと、
置き換えるべきか否かの前記決定に基づいて、前記参照ピクチャリスト中の前記参照ピクチャを前記現在ピクチャと置き換えるか、控えるかを選択的に行うことと、
前記参照ピクチャリストに基づいて、前記現在ピクチャのサンプルを予測することと、を行うように構成された、装置。
【請求項１４】
置き換えるか、控えるかを選択的に行うために、前記１つまたは複数のプロセッサは、前記参照ピクチャリスト中の参照ピクチャを前記現在ピクチャと置き換える、ここで、前記第２の数が前記第１の数以上でない、ように構成された、請求項１３に記載の装置。
【請求項１５】
前記１つまたは複数のプロセッサは、（ｉ）インターモードで前記現在ピクチャ中のブロックを予測する際に使用するために利用可能な参照ピクチャの総数と、（ｉｉ）前記現在ピクチャが、前記現在ピクチャ中のブロックを予測するために使用されることを可能にされるかどうかに基づく値との和として前記第１の数を決定するようにさらに構成された、請求項１３に記載の装置。
【請求項１６】
前記１つまたは複数のプロセッサは、（ｉ）前記現在ピクチャを予測するために利用可能であり、出力順序において前記現在ピクチャに先行する短期参照ピクチャの総数と、（ｉｉ）前記現在ピクチャを予測するために利用可能であり、出力順序において前記現在ピクチャに後続する短期参照ピクチャの総数と、（ｉｉｉ）前記現在ピクチャを予測するために利用可能な長期参照ピクチャの総数と、（ｉｖ）前記現在ピクチャが、前記現在ピクチャ中のブロックを予測するために使用されることを可能にされるかどうかに基づく値との和として前記第１の数を決定するようにさらに構成された、請求項１３に記載の装置。
【請求項１７】
前記１つまたは複数のプロセッサは、前記参照ピクチャリストが、前記参照ピクチャリストの最後の位置以外の位置における前記現在ピクチャを含むと決定することに応答して、前記参照ピクチャリストの前記最後の位置における参照ピクチャを前記現在ピクチャと置き換えることを控えるようにさらに構成された、請求項１３に記載の装置。
【請求項１８】
前記１つまたは複数のプロセッサは、前記参照ピクチャリストが、前記現在ピクチャを含む参照ピクチャシーケンスの少なくとも一部分が前記参照ピクチャリスト内で２回以上繰り返されるような、前記参照ピクチャシーケンスを含むと決定することに応答して、前記参照ピクチャリスト中の参照ピクチャを前記現在ピクチャと置き換えることを控えるようにさらに構成された、請求項１３に記載の装置。
【請求項１９】
前記第１の数が、高効率ビデオコーディング（ＨＥＶＣ）規格における変数ＮｕｍＰｉｃＴｏｔａｌＣｕｒｒの値によって示される、請求項１３に記載の装置。
【請求項２０】
前記第２の数が、高効率ビデオコーディング（ＨＥＶＣ）規格における変数ｎｕｍ＿ｒｅｆ＿ｉｄｘ＿ｌ０＿ａｃｔｉｖｅ＿ｍｉｎｕｓ１の値と１との和によって示される、請求項１３に記載の装置。
【請求項２１】
前記第１の数が、高効率ビデオコーディング（ＨＥＶＣ）規格における変数ＮｕｍＲｐｓＣｕｒｒＴｅｍｐＬｉｓｔ０の値によって示される、請求項１３に記載の装置。
【請求項２２】
前記１つまたは複数のプロセッサが、前記参照ピクチャリストを使用して前記現在ピクチャ中の現在ブロックのための予測ブロックを決定するようにさらに構成された、請求項１３に記載の装置。
【請求項２３】
前記装置が、前記予測ブロックに基づいて前記現在ブロックを符号化するように構成されたビデオエンコーダと、前記現在ピクチャをキャプチャするように構成されたカメラとを備える、請求項２２に記載の装置。
【請求項２４】
前記装置が、前記予測ブロックに基づいて前記現在ブロックを復号するように構成されたビデオデコーダと、前記現在ピクチャを表示するように構成されたディスプレイとを備える、請求項２２に記載の装置。
【請求項２５】
実行されたとき、装置に、
（ｉ）インターモードまたはイントラブロックコピーモードのうちの少なくとも１つでの予測のために利用可能な参照ピクチャの総数を表す第１の数と、（ｉｉ）予測されるべき現在ピクチャのための参照ピクチャリスト中に含まれるべき参照ピクチャの総数を表す第２の数とを決定することと、
前記第２の数が前記第１の数以上であるかどうかに基づいて、前記参照ピクチャリスト中の参照ピクチャを前記現在ピクチャと置き換えるべきか否かを決定することと、
置き換えるべきか否かの前記決定に基づいて、前記参照ピクチャリスト中の前記参照ピクチャを前記現在ピクチャと置き換えるか、控えるかを選択的に行うことと、
前記参照ピクチャリストに基づいて、前記現在ピクチャのサンプルを予測することと、
を行わせるコードを備える非一時的物理的コンピュータストレージ。
【請求項２６】
前記装置に、置き換えるか、控えるかを選択的に行わせる前記コードは、前記装置に、
前記参照ピクチャリスト中の参照ピクチャを前記現在ピクチャと置き換えること、ここで、前記第２の数が前記第１の数以上でない場合、を行わせるコードを備える、請求項２５に記載の非一時的物理的コンピュータストレージ。
【請求項２７】
前記コードは、前記装置に、（ｉ）前記現在ピクチャを予測するために利用可能であり、出力順序において前記現在ピクチャに先行する短期参照ピクチャの総数と、（ｉｉ）前記現在ピクチャを予測するために利用可能であり、出力順序において前記現在ピクチャに後続する短期参照ピクチャの総数と、（ｉｉｉ）前記現在ピクチャを予測するために利用可能な長期参照ピクチャの総数と、（ｉｖ）前記現在ピクチャが、前記現在ピクチャ中のブロックを予測するために使用されることを可能にされるかどうかに基づく値との和として前記第１の数を決定することをさらに行わせる、請求項２５に記載の非一時的物理的コンピュータストレージ。
【請求項２８】
参照ピクチャリストを構成するように構成されたビデオコーディングデバイスであって、前記ビデオコーディングデバイスは、
１つまたは複数の参照ピクチャを記憶するための手段と、
（ｉ）インターモードまたはイントラブロックコピーモードのうちの少なくとも１つでの予測のために利用可能な参照ピクチャの総数を表す第１の数と、（ｉｉ）予測されるべき現在ピクチャのための参照ピクチャリスト中に含まれるべき参照ピクチャの総数を表す第２の数とを決定するための手段と、
前記第２の数が前記第１の数以上であるかどうかに基づいて、前記参照ピクチャリスト中の参照ピクチャを前記現在ピクチャと置き換えるべきか否かを決定するための手段と、
置き換えるべきか否かの前記決定に基づいて、前記参照ピクチャリスト中の前記参照ピクチャを前記現在ピクチャと置き換えるか、控えるかを選択的に行うための手段と、
前記参照ピクチャリストに基づいて、前記現在ピクチャのサンプルを予測するための手段と、
を備える、ビデオコーディングデバイス。
【請求項２９】
置き換えるか、控えるかを選択的に行うための前記手段は、
前記参照ピクチャリスト中の参照ピクチャを前記現在ピクチャと置き換えるための手段、ここで、前記第２の数が前記第１の数以上でない場合、を備える、請求項２８に記載のビデオコーディングデバイス。
【請求項３０】
（ｉ）前記現在ピクチャを予測するために利用可能であり、出力順序において前記現在ピクチャに先行する短期参照ピクチャの総数と、（ｉｉ）前記現在ピクチャを予測するために利用可能であり、出力順序において前記現在ピクチャに後続する短期参照ピクチャの総数と、（ｉｉｉ）前記現在ピクチャを予測するために利用可能な長期参照ピクチャの総数と、（ｉｖ）前記現在ピクチャが、前記現在ピクチャ中のブロックを予測するために使用されることを可能にされるかどうかに基づく値との和として前記第１の数を決定するための手段をさらに備える、請求項２８に記載のビデオコーディングデバイス。
【手続補正２】
【補正対象書類名】明細書
【補正対象項目名】０１２８
【補正方法】変更
【補正の内容】
【０１２８】
[00144]上記について様々な異なる実施形態に関して説明したが、一実施形態からの特徴または要素は、本開示の教示から逸脱することなく他の実施形態と組み合わせられ得る。ただし、それぞれの実施形態間の特徴の組合せは、必ずしもそれに限定されるとは限らない。本開示の様々な実施形態について説明した。これらおよび他の実施形態は以下の特許請求の範囲内に入る。
以下に本願の出願当初の特許請求の範囲に記載された発明を付記する。
［Ｃ１］
参照ピクチャリストを構成するための方法であって、前記方法は、
（ｉ）インターモードまたはイントラブロックコピーモードのうちの少なくとも１つでの予測のために利用可能な参照ピクチャの総数を表す第１の数と、（ｉｉ）前記参照ピクチャリスト中に含まれるべき参照ピクチャの総数を表す第２の数とを決定することと、
前記第２の数が前記第１の数以上であると決定することに応答して、前記参照ピクチャリスト中の参照ピクチャを、予測されるべき現在ピクチャと置き換えることを控えることとを備える、方法。
［Ｃ２］
前記第２の数が前記第１の数以上でないと決定することに応答して、前記参照ピクチャリスト中の参照ピクチャを前記現在ピクチャと置き換えることをさらに備える、Ｃ１に記載の方法。
［Ｃ３］
（ｉ）インターモードで前記現在ピクチャ中のブロックを予測する際に使用するために利用可能な参照ピクチャの総数と、（ｉｉ）前記現在ピクチャが、前記現在ピクチャ中のブロックを予測するために使用されることを可能にされるかどうかに基づく値との和として前記第１の数を決定することをさらに備える、Ｃ１に記載の方法。
［Ｃ４］
（ｉ）前記現在ピクチャを予測するために利用可能であり、出力順序において前記現在ピクチャに先行する短期参照ピクチャの総数と、（ｉｉ）前記現在ピクチャを予測するために利用可能であり、出力順序において前記現在ピクチャに後続する短期参照ピクチャの総数と、（ｉｉｉ）前記現在ピクチャを予測するために利用可能な長期参照ピクチャの総数と、（ｉｖ）前記現在ピクチャが、前記現在ピクチャ中のブロックを予測するために使用されることを可能にされるかどうかに基づく値との和として前記第１の数を決定することをさらに備える、Ｃ１に記載の方法。
［Ｃ５］
前記参照ピクチャリストが、前記参照ピクチャリストの最後の位置以外の位置における前記現在ピクチャを含むと決定することに応答して、前記参照ピクチャリストの前記最後の位置における参照ピクチャを前記現在ピクチャと置き換えることを控えることをさらに備える、Ｃ１に記載の方法。
［Ｃ６］
前記参照ピクチャリストが、前記現在ピクチャを含む参照ピクチャシーケンスの少なくとも一部分が前記参照ピクチャリスト内で２回以上繰り返されるような、前記参照ピクチャシーケンスを含むと決定することに応答して、前記参照ピクチャリスト中の参照ピクチャを前記現在ピクチャと置き換えることを控えることをさらに備える、Ｃ１に記載の方法。
［Ｃ７］
前記第１の数が、高効率ビデオコーディング（ＨＥＶＣ）規格における変数ＮｕｍＰｉｃＴｏｔａｌＣｕｒｒの値によって示される、Ｃ１に記載の方法。
［Ｃ８］
前記第２の数が、高効率ビデオコーディング（ＨＥＶＣ）規格における変数ｎｕｍ＿ｒｅｆ＿ｉｄｘ＿ｌ０＿ａｃｔｉｖｅ＿ｍｉｎｕｓ１の値と１との和によって示される、Ｃ１に記載の方法。
［Ｃ９］
前記第１の数が、高効率ビデオコーディング（ＨＥＶＣ）規格における変数ＮｕｍＲｐｓＣｕｒｒＴｅｍｐＬｉｓｔ０の値によって示される、Ｃ１に記載の方法。
［Ｃ１０］
前記参照ピクチャリストを使用して前記現在ピクチャ中の現在ブロックのための予測ブロックを決定することをさらに備える、Ｃ１に記載の方法。
［Ｃ１１］
前記予測ブロックに基づいて前記現在ブロックを符号化することをさらに備える、Ｃ１０に記載の方法。
［Ｃ１２］
前記予測ブロックに基づいて前記現在ブロックを復号することをさらに備える、Ｃ１０に記載の方法。
［Ｃ１３］
参照ピクチャリストを構成するように構成された装置であって、前記装置が、
１つまたは複数の参照ピクチャを記憶するように構成されたメモリと、
前記メモリと通信している１つまたは複数のプロセッサとを備え、前記１つまたは複数のプロセッサは、
（ｉ）インターモードまたはイントラブロックコピーモードのうちの少なくとも１つでの予測のために利用可能な参照ピクチャの総数を表す第１の数と、（ｉｉ）前記参照ピクチャリスト中に含まれるべき参照ピクチャの総数を表す第２の数とを決定することと、
前記第２の数が前記第１の数以上であるという決定に応答して、前記参照ピクチャリスト中の参照ピクチャを、予測されるべき現在ピクチャと置き換えることを控えることとを行うように構成された、装置。
［Ｃ１４］
前記１つまたは複数のプロセッサは、前記第２の数が前記第１の数以上でないと決定することに応答して、前記参照ピクチャリスト中の参照ピクチャを前記現在ピクチャと置き換えるようにさらに構成された、Ｃ１３に記載の装置。
［Ｃ１５］
前記１つまたは複数のプロセッサは、（ｉ）インターモードで前記現在ピクチャ中のブロックを予測する際に使用するために利用可能な参照ピクチャの総数と、（ｉｉ）前記現在ピクチャが、前記現在ピクチャ中のブロックを予測するために使用されることを可能にされるかどうかに基づく値との和として前記第１の数を決定するようにさらに構成された、Ｃ１３に記載の装置。
［Ｃ１６］
前記１つまたは複数のプロセッサは、（ｉ）前記現在ピクチャを予測するために利用可能であり、出力順序において前記現在ピクチャに先行する短期参照ピクチャの総数と、（ｉｉ）前記現在ピクチャを予測するために利用可能であり、出力順序において前記現在ピクチャに後続する短期参照ピクチャの総数と、（ｉｉｉ）前記現在ピクチャを予測するために利用可能な長期参照ピクチャの総数と、（ｉｖ）前記現在ピクチャが、前記現在ピクチャ中のブロックを予測するために使用されることを可能にされるかどうかに基づく値との和として前記第１の数を決定するようにさらに構成された、Ｃ１３に記載の装置。
［Ｃ１７］
前記１つまたは複数のプロセッサは、前記参照ピクチャリストが、前記参照ピクチャリストの最後の位置以外の位置における前記現在ピクチャを含むと決定することに応答して、前記参照ピクチャリストの前記最後の位置における参照ピクチャを前記現在ピクチャと置き換えることを控えるようにさらに構成された、Ｃ１３に記載の装置。
［Ｃ１８］
前記１つまたは複数のプロセッサは、前記参照ピクチャリストが、前記現在ピクチャを含む参照ピクチャシーケンスの少なくとも一部分が前記参照ピクチャリスト内で２回以上繰り返されるような、前記参照ピクチャシーケンスを含むと決定することに応答して、前記参照ピクチャリスト中の参照ピクチャを前記現在ピクチャと置き換えることを控えるようにさらに構成された、Ｃ１３に記載の装置。
［Ｃ１９］
前記第１の数が、高効率ビデオコーディング（ＨＥＶＣ）規格における変数ＮｕｍＰｉｃＴｏｔａｌＣｕｒｒの値によって示される、Ｃ１３に記載の装置。
［Ｃ２０］
前記第２の数が、高効率ビデオコーディング（ＨＥＶＣ）規格における変数ｎｕｍ＿ｒｅｆ＿ｉｄｘ＿ｌ０＿ａｃｔｉｖｅ＿ｍｉｎｕｓ１の値と１との和によって示される、Ｃ１３に記載の装置。
［Ｃ２１］
前記第１の数が、高効率ビデオコーディング（ＨＥＶＣ）規格における変数ＮｕｍＲｐｓＣｕｒｒＴｅｍｐＬｉｓｔ０の値によって示される、Ｃ１３に記載の装置。
［Ｃ２２］
前記１つまたは複数のプロセッサが、前記参照ピクチャリストを使用して前記現在ピクチャ中の現在ブロックのための予測ブロックを決定するようにさらに構成された、Ｃ１３に記載の装置。
［Ｃ２３］
前記装置が、前記予測ブロックに基づいて前記現在ブロックを符号化するように構成されたビデオエンコーダと、前記現在ピクチャをキャプチャするように構成されたカメラとを備える、Ｃ２２に記載の装置。
［Ｃ２４］
前記装置が、前記予測ブロックに基づいて前記現在ブロックを復号するように構成されたビデオデコーダと、前記現在ピクチャを表示するように構成されたディスプレイとを備える、Ｃ２２に記載の装置。
［Ｃ２５］
実行されたとき、装置に、
（ｉ）インターモードまたはイントラブロックコピーモードのうちの少なくとも１つでの予測のために利用可能な参照ピクチャの総数を表す第１の数と、（ｉｉ）参照ピクチャリスト中に含まれるべき参照ピクチャの総数を表す第２の数とを決定することと、
前記第２の数が前記第１の数以上であるという決定に応答して、前記参照ピクチャリスト中の参照ピクチャを、予測されるべき現在ピクチャと置き換えることを控えることとを行わせるコードを備える非一時的物理的コンピュータストレージ。
［Ｃ２６］
前記コードは、前記装置に、前記第２の数が前記第１の数以上でないと決定することに応答して、前記参照ピクチャリスト中の参照ピクチャを前記現在ピクチャと置き換えることをさらに行わせる、Ｃ２５に記載の非一時的物理的コンピュータストレージ。
［Ｃ２７］
前記コードは、前記装置に、（ｉ）前記現在ピクチャを予測するために利用可能であり、出力順序において前記現在ピクチャに先行する短期参照ピクチャの総数と、（ｉｉ）前記現在ピクチャを予測するために利用可能であり、出力順序において前記現在ピクチャに後続する短期参照ピクチャの総数と、（ｉｉｉ）前記現在ピクチャを予測するために利用可能な長期参照ピクチャの総数と、（ｉｖ）前記現在ピクチャが、前記現在ピクチャ中のブロックを予測するために使用されることを可能にされるかどうかに基づく値との和として前記第１の数を決定することをさらに行わせる、Ｃ２５に記載の非一時的物理的コンピュータストレージ。
［Ｃ２８］
参照ピクチャリストを構成するように構成されたビデオコーディングデバイスであって、前記ビデオコーディングデバイスは、
１つまたは複数の参照ピクチャを記憶するための手段と、
（ｉ）インターモードまたはイントラブロックコピーモードのうちの少なくとも１つでの予測のために利用可能な参照ピクチャの総数を表す第１の数と、（ｉｉ）前記参照ピクチャリスト中に含まれるべき参照ピクチャの総数を表す第２の数とを決定するための手段と、
前記第２の数が前記第１の数以上であるという決定に応答して、前記参照ピクチャリスト中の参照ピクチャを、予測されるべき現在ピクチャと置き換えることを控えるための手段とを備える、ビデオコーディングデバイス。
［Ｃ２９］
前記第２の数が前記第１の数以上でないと決定することに応答して、前記参照ピクチャリスト中の参照ピクチャを前記現在ピクチャと置き換えるための手段をさらに備える、Ｃ２８に記載のビデオコーディングデバイス。
［Ｃ３０］
（ｉ）前記現在ピクチャを予測するために利用可能であり、出力順序において前記現在ピクチャに先行する短期参照ピクチャの総数と、（ｉｉ）前記現在ピクチャを予測するために利用可能であり、出力順序において前記現在ピクチャに後続する短期参照ピクチャの総数と、（ｉｉｉ）前記現在ピクチャを予測するために利用可能な長期参照ピクチャの総数と、（ｉｖ）前記現在ピクチャが、前記現在ピクチャ中のブロックを予測するために使用されることを可能にされるかどうかに基づく値との和として前記第１の数を決定するための手段をさらに備える、Ｃ２８に記載のビデオコーディングデバイス。